(57)【要約】【課題】本発明は、容器蓋部に強固に装着でき、表示ディスプレー効果と消費者への情報提供が期待できる安価な集積包装用の紙製容器ホルダーを提供する。【解決手段】半円形状の天窓部（７、７）を有する矩形状の天面板（１）の周辺に、係止用孔部（６、６）を設けた１対の対向する前後の側面板（２、２）を各々連設して、両端に糊代フラップ（４、４、４、４）を各々連設した１対の対向する左右の側面板（３、３）を各々連設し、且つ、前記天面板（１）の四隅の頂点から斜めの谷折り目線（ａ）を該側面板（３、３）の端縁にかけて各々設けた１枚のブランク（Ｂ）であって、このブランク（Ｂ）の糊代フラップ（４）を有する左右の側面板（３、３）と四隅の斜めの谷折り目線（ａ）を各々順次内側に折り曲げて、該糊代フラップ（４）と前後の側面板（２、２）とを内折り貼り加工したことを特徴とする紙製容器ホルダーである。【選択図】図１
2005239210.tif 000002
【特許請求の範囲】
【請求項１】
半円形状の複数の天窓部を有する矩形状の天面板の周辺に、容器蓋部の縁部と係止するための複数の係止用孔部を設けた１対の対向する前後の側面板を折り目線を介して各々連設して、両端に糊代フラップを折り目線を介して各々連設した１対の対向する左右の側面板を各々連設し、且つ、前記天面板の四隅の頂点から斜めの谷折り目線を該側面板の端縁にかけて各々設けた１枚のブランクであって、このブランクの一方の糊代フラップを有する左右の側面板を各々内側に折り曲げ、且つ、四隅の斜めの谷折り目線を各々内側に折り曲げて、該糊代フラップと他方の前後の側面板とを内折り貼り加工したことを特徴とする紙製容器ホルダー。
【請求項２】
前記前後の側面板の係止用孔部の各々の開口高さが容器蓋部の縁部の厚さと同等かそれより大きい高さであることを特徴とする請求項１記載の紙製容器ホルダー。
【発明の詳細な説明】
【技術分野】
【０００１】
本発明は、食品などの商品を収納する蓋付き容器の蓋部に装着して集積包装する紙製容器ホルダーに関するもので、さらに詳しくは、容器の蓋部に容易に強固な形で装着ができ、段積みができ、容器本体では表現できない自由なデザイン、文章が表現できるようにした表示ディスプレー効果と消費者への情報提供が期待できる安価な集積包装用の紙製容器ホルダーに関するものである。
【背景技術】
【０００２】
従来、農・水産物の加工食品などは、図６に示すように、ポリエチレン、ポリプロピレン、スチロール樹脂などを成形して作製されるプラスチック製カップ型容器（Ｙ）などに内容物を収納した後、蓋部（Ｆ）を被せ、蓋締め包装した形態が一般的に普及している。
【０００３】
このような包装形態の場合は、商品情報などを消費者に提供するために、その容器（Ｙ）の側面や蓋部（Ｆ）の天面の印刷スペース（５）に直接印刷を施す方法を使用するか、或いは印刷ラベルなどを貼っている場合が多い。
【０００４】
特に、蓋部（Ｆ）においては、該蓋部（Ｆ）の天面の印刷スペース（５）が少なく、バーコードなどの生産者用の管理コードを同じスペース内に印刷すると、ますます消費者に必要、且つ、十分な商品情報などを提供できないという問題点がある。
【０００５】
また、このプラスチック製カップ型容器（Ｙ）入りの商品を複数個まとめて集積包装することにより、搬送やまとめ買いの便宜を図るようにしたものが一般的に普及している。
【０００６】
代表的なものとしては、凹型をした台紙の上に複数個のプラスチック製カップ型容器（Ｙ）を１列〜複数列に載置し、その周囲を透明な熱収縮性合成樹脂フィルムによりシュリンク包装したものがある。
【０００７】
このようにシュリンク包装を行なう場合は、専用の包装機と収縮トンネル装置を新たに設備する必要があり、包装コストが高くなる問題点がある。
【０００８】
次に、プラスチック製カップ型容器（Ｙ）を美麗な印刷を施したスリーブ状のカートンに複数個まとめて集積包装している場合やスリーブ状のカートンの天面部や側面部に窓を設けて中の該容器（Ｙ）が見えるように集積包装しているものがある。
【０００９】
このような場合は、カートンに印刷が十分にできるので、商品情報などを消費者に提供することについては、特に問題点はないが二重の包装形態となり過剰包装になる問題点がある。
【００１０】
また、カートンの形態が４つの側面部と天面部と底面部および糊代部を備えているので材料面積が大きくなってしまい材料コストが高くなる問題点がある。
【発明の開示】
【発明が解決しようとする課題】
【００１１】
本発明は、このような従来技術の問題点を解決しようとするものであり、容器の蓋部に容易に強固な形で装着ができ、段積みができ、容器本体では表現できない自由なデザイン、文章が表現できるようにした表示ディスプレー効果と消費者への情報提供が期待できる安価な集積包装用の紙製容器ホルダーを提供することを目的とする。
【課題を解決するための手段】
【００１２】
本発明は、上記の課題を解決するために成されたものであり、本発明の請求項１に係る発明は、半円形状の複数の天窓部（７、７）を有する矩形状の天面板（１）の周辺に、容器（Ｙ）蓋部（Ｆ）の縁部（ｅ）と係止するための複数の係止用孔部（６、６）を設けた１対の対向する前後の側面板（２、２）を折り目線を介して各々連設して、両端に糊代フラップ（４、４、４、４）を折り目線を介して各々連設した１対の対向する左右の側面板（３、３）を各々連設し、且つ、前記天面板（１）の四隅の頂点から斜めの谷折り目線（ａ、ａ、ａ、ａ）を該側面板（３、３）の端縁にかけて各々設けた１枚のブランク（Ｂ）であって、このブランク（Ｂ）の一方の糊代フラップ（４、４、４、４）を有する左右の側面板（３、３）を各々内側に折り曲げ、且つ、四隅の斜めの谷折り目線（ａ、ａ、ａ、ａ）を各々内側に折り曲げて、該糊代フラップ（４、４、４、４）と他方の前後の側面板（２、２）とを内折り貼り加工したことを特徴とする紙製容器ホルダー（Ｃ）である。
【００１３】
本発明の請求項２に係る発明は、請求項１記載の紙製容器ホルダーにおいて、前記前後の側面板（２、２）の係止用孔部（６、６、６、６）の各々の開口高さ（Ｈ）が容器（Ｙ）蓋部（Ｆ）の縁部（ｅ）の厚さ（ｄ）と同等かそれより大きい高さであることを特徴とする紙製容器ホルダー（Ｃ）である。
【発明の効果】
【００１４】
本発明の紙製容器ホルダーは、半円形状の複数の天窓部を有する矩形状の天面板の周辺に、容器蓋部の縁部と係止するための複数の係止用孔部を設けた１対の対向する前後の側面板を折り目線を介して各々連設して、両端に糊代フラップを折り目線を介して各々連設した１対の対向する左右の側面板を各々連設し、且つ、前記天面板の四隅の頂点から斜めの谷折り目線を該側面板の端縁にかけて各々設けた１枚のブランクであって、このブランクの一方の糊代フラップを有する左右の側面板を各々内側に折り曲げ、且つ、四隅の斜めの谷折り目線を各々内側に折り曲げて、該糊代フラップと他方の前後の側面板とを内折り貼り加工することにより、容器の蓋部に容易に強固な形で装着ができ、段積みができ、容器本体では表現できない自由なデザイン、文章が表現できるので表示ディスプレー効果と消費者への情報提供が期待でき、また省スペースなので安価な材料コストで集積包装ができる。
【発明を実施するための最良の形態】
【００１５】
本発明の実施の形態を図１から図６に基づいて詳細に説明する。
【００１６】
図１は本発明に係る紙製容器ホルダー（Ｃ）のブランク（Ｂ）の１実施例を示す展開平面図であり、図２は本発明に係る紙製容器ホルダー（Ｃ）の１実施例を示す斜視図であり、図３は本発明に係る紙製容器ホルダー（Ｃ）の斜めの谷折り目線（ａ）を内側に折り込む工程を説明する説明図であり、図４は本発明に係る紙製容器ホルダー（Ｃ）を折り畳んだ側面図であり、図５は本発明に係る紙製容器ホルダー（Ｃ）を蓋付き容器（Ｙ）に係止した状態の１実施例を示す斜視図であり、図６は既存の蓋付き容器（Ｙ）の１実施例を示す斜視図である。
【００１７】
本発明の紙製容器ホルダー（Ｃ）のブランク（Ｂ）は、図１に示すように、半円形状の複数の天窓部（７、７）を有する矩形状の天面板（１）の周辺に、容器（Ｙ）蓋部（Ｆ）の縁部（ｅ）と係止するための複数の係止用孔部（６、６）を設けた１対の対向する前後の側面板（２、２）を折り目線を介して各々連設している。
【００１８】
次に、両端に糊代フラップ（４、４、４、４）を折り目線を介して各々連設した１対の対向する左右の側面板（３、３）を各々連設している。
【００１９】
且つ、前記天面板(1)の四隅の頂点から斜めの谷折り目線（ａ、ａ、ａ、ａ）を該側面板（３、３）の端縁にかけて各々設けた１枚のブランク(Ｂ)である。
【００２０】
このように前記斜めの谷折り目線（ａ、ａ、ａ、ａ）を、２対の対向する側面板（２、２、３、３）の内、折り畳み性を考慮して糊代フラップ（４、４、４、４）を備えた該側面板（３、３）に設けたほうが好ましい。
【００２１】
次に、このブランク（Ｂ）の一方の糊代フラップ（４、４、４、４）を有する左右の側面板（３、３）を各々内側に折り曲げ、且つ、図３に示すように、四隅の斜めの谷折り目線（ａ、ａ、ａ、ａ）を各々内側に折り曲げて、該糊代フラップ（４、４、４、４）と他方の前後の側面板（２、２）とを図４に示すように、内折り貼り加工する。
【００２２】
このようにして折り畳まれた紙製容器ホルダー（Ｃ）は、図６に示すような、既存の蓋付き容器（Ｙ）に係止する時は、図２に示すように、起立させた組立函の状態にする。
【００２３】
次に、図５に示すように、蓋付き容器（Ｙ）蓋部（Ｆ）に被せたとき、紙製容器ホルダー（Ｃ）は、マニラボールやコートボールなどの板紙を材料として使用しているので、その板紙の特性から内側に戻ろうとする力が働き外れにくい構造になっている。
【００２４】
この係止用の斜めの谷折り目線（ａ）を設ける方法は、一般的に紙器加工に使用されている切れ刃と罫線刃（折り目線を設ける押し刃）を埋め込んだ表抜き抜型を使用することができる。
【００２５】
したがって、特に特別な装置を用意することもないし、また作業工程も従来と全く同様に行うことができる。
【００２６】
一般的に、紙器加工に使用されている抜型は、雄型と雌型から構成されており、雄型は合板に函の形状に合せて、レーザー切断装置で溝を切り込み、紙に折り目線（折り罫線）をつける罫線刃と切断する切刃を植え込んである。
【００２７】
一方の雌型は、鉄板（面板またはカッティングプレートと呼ぶ）上に、堅い紙であるプレスボードを貼り付け、罫線刃の当たる部分に溝を作製する。
【００２８】
このような抜型を平板打抜機に取り付け、この平板打抜機の雄・雌の抜型の間にあらかじめ印刷された紙を送り込み、平圧式で加圧して打ち抜きを行い、切刃による切断と罫線刃による折り目線（折り罫線）を同時に加工して、所定の寸法・形状のブランク（Ｂ）を作製するのが一般的である。
【００２９】
次に、前記側面板（２、２、２、２）の係止用孔部（６、６、６、６）の各々の開口高さ（Ｈ）は、容器（Ｙ）蓋部（Ｆ）の縁部（ｅ）の厚さ（ｄ）と同等かそれより大きい高さであることが好ましい。
【００３０】
また、容器（Ｙ）蓋部（Ｆ）の縁部（ｅ）の厚さ（ｄ）に合せて、該側面板（２、２、２、２）の係止用孔部（６、６、６、６）の各々の開口高さ（Ｈ）を調節することにより、どのような容器（Ｙ）蓋部（Ｆ）の縁部（ｅ）の厚さ（ｄ）にも対応可能である。
【００３１】
本発明の紙製容器ホルダー（Ｃ）の天面板（１）の表面積は、従来の容器（Ｙ）蓋部（Ｆ）の面積に比較してかなり広くなるため、従来、消費者に対して商品情報などを小さくしか表現できなかった、すなわち、商品情報などを少なくしか提供できなかったことが解
決できるものである。
【００３２】
さらに、従来の容器（Ｙ）蓋部（Ｆ）がプラスチック製の場合は、一般的にグラビア印刷方式やシルクスクリーン印刷方式で被印刷体であるプラスチック材料面に直接印刷した後、真空成形法などにより蓋部Ｆを成形して作製しているが、印刷の仕上がりが完全でない問題点があった。
【００３３】
また、紙などにオフセット印刷方式により、美麗な印刷を施した後、打ち抜き加工を行ったラベルを蓋部（Ｆ）に貼着する方法の場合は、ラベルを作製する工程やその印刷ラベルを容器（Ｙ）の蓋部（Ｆ）に貼着する工程などが増加してコストが高くなる問題点があった。
【００３４】
そこで本発明の該ホルダー（Ｃ）の場合は、板紙にオフセット印刷方式などにより、美麗な印刷を施し、天面板（１）と各々側面板（２、２、３、３）の表面と裏面に全面印刷することが可能になり、より一層のディスプレー効果と消費者への情報提供が期待できるものである。
【００３５】
また、該容器（Ｙ）上部に紙製容器ホルダー（Ｃ）を取り付けても、該容器（Ｙ）の直径と仕上がりは、ほぼ同じなので輸送段ボール寸法もほとんど変わらず物流コストも問題がないものである。
【００３６】
さらに、該ホルダー（Ｃ）の天面板（１）がフラットであるため、容器（Ｙ）を安定して積み重ねることができ、段ボール詰めにおいても問題がなく、また店頭における陳列も多段にできるので省スペースとなり合理的である。
【００３７】
また、天面板（１）に設けた天窓部（７、７）は、集積包装した容器（Ｙ）の天面部の確認ができる役目と消費者が持ち運ぶ際に取手となる役目もするものである。
【００３８】
次に、該ホルダー（Ｃ）は、人手で簡単に装着可能であるので多品種少量生産の商品にも最適である。
【００３９】
以上のように、本発明の紙製容器ホルダー（Ｃ）は、半円形状の複数の天窓部（７、７）を有する矩形状の天面板（１）の周辺に、容器（Ｙ）蓋部（Ｆ）の縁部（ｅ）と係止するための複数の係止用孔部（６、６）を設けた１対の対向する前後の側面板（２、２）を折り目線を介して各々連設して、両端に糊代フラップ（４、４、４、４）を折り目線を介して、各々連設した１対の対向する左右の側面板（３、３）を各々連設し、且つ、前記天面板（１）の四隅の頂点から斜めの谷折り目線（ａ、ａ、ａ、ａ）を該側面板（３、３）の端縁にかけて各々設けた１枚のブランク（Ｂ）であって、このブランク（Ｂ）の一方の糊代フラップ（４、４、４、４）を有する左右の側面板（３、３）を各々内側に折り曲げ、且つ、四隅の斜めの谷折り目線（ａ、ａ、ａ、ａ）を各々内側に折り曲げて、該糊代フラップ（４、４、４、４）と他方の前後の側面板（２、２）とを内折り貼り加工することにより、容器の蓋部に容易に強固な形で装着ができ、段積みができ、容器本体では表現できない自由なデザイン、文章が表現できるので表示ディスプレー効果と消費者への情報提供が期待でき、また省スペースなので安価な材料コストで集積包装ができるものである。
【００４０】
以下に、本発明の紙製容器ホルダー（Ｃ）について、具体的実施例を挙げて、さらに詳しく説明する。
【実施例１】
【００４１】
本発明の紙製容器ホルダー（Ｃ）は、坪量が４００ｇ／ｍ2のコートボールを使用し、
仕上がり寸法を長さ１５７ｍｍ×幅６８ｍｍ×高さ２３ｍｍに設定した。
【００４２】
該紙製容器ホルダー（Ｃ）のブランク（Ｂ）は、図１に示すように、横長の矩形状の天面板（１）の前後に、図６に示すような、容器（Ｙ）蓋部（Ｆ）の縁部（ｅ）と係止する係止用孔部（６）を２箇所設けた１対の対向する側面板（２、２）を折り目線を介して各々連設した。
【００４３】
尚、横長の矩形状の天面板（１）に半円形状の天窓部（７、７）を２箇所設けて、プラスチック製カップ型容器（Ｙ）の蓋部（Ｆ）天面が見えるようにしたことと持ち運びやすくした。
【００４４】
次に、前記係止用孔部（６）の各々の開口高さ（Ｈ）は、カップ型容器（Ｙ）蓋部（Ｆ）の縁部（ｅ）の厚み（ｄ）とほぼ同じ大きさに設定した。
【００４５】
尚、該係止用孔部（６）の開口形状は、側面板（２、２）と天面板（１）を連設している折り目線側は前記カップ型容器（Ｙ）蓋部（Ｆ）の縁部（ｅ）の円周形状と同じ円孤状切欠（Ｍ）で形成した。
【００４６】
したがって、該天面板（１）のこの部分には、側面板（２、２）と天面板（１）を連設している折り目線から突き出るようにして円孤状の鍔（Ｌ）が設けられている。
【００４７】
次に、左右の側面板（３、３）両端に糊代フラップ（４、４、４、４）を折り目線を介して各々連設した。
【００４８】
さらに、前記天面板（１）の四隅の頂点から４５度の角度で斜めの谷折り目線（ａ、ａ、ａ、ａ）を該側面板（３、３）の端縁にかけて各々設けた。
【００４９】
以上のような形態の雄型と雌型から構成された抜型を平板打抜機に取り付け、この平板打抜機の雄・雌の抜型の間にあらかじめ美麗にオフセット印刷された紙を送り込み、平圧式で加圧して打ち抜きを行い、切刃による切断と罫線刃による折り目線（折り罫線）を同時に加工して、ブランク（Ｂ）を作製した。
【００５０】
次に、このブランク（Ｂ）の糊代フラップ（４、４、４、４）を有する左右の側面板（３、３）を各々内側に折り曲げ、且つ、図３に示すように、四隅の斜めの谷折り目線（ａ、ａ、ａ、ａ）を各々内側に折り曲げて、該糊代フラップ（４、４、４、４）と前後の側面板（２、２）とを、図４に示すように、内折り貼り加工を行い折り畳んだ状態にした。
【００５１】
このようにして折り畳まれた紙製容器ホルダー（Ｃ）を、図６に示すような、既存の蓋付き容器（Ｙ）に係止するため、図２に示すように、起立させた組立函の状態にした。
【００５２】
このような形態の本発明の紙製容器ホルダー（Ｃ）を、図６に示すような、蓋付き容器（Ｙ）の天面部に、図５に示すように、被せて該紙製容器ホルダー（Ｃ）の係止用孔部（６、６、６、６）を該容器（Ｙ）蓋部（Ｆ）の縁部（ｅ）に係止させた。
【００５３】
以上のようにして作製した該紙製容器ホルダー（Ｃ）は、図６に示すような、従来の容器（Ｙ）に容易に強固な形で装着ができたので輸送中や荷降ろしなどの取り扱い中でも係止部が外れてしまうこともなかつた。
【００５４】
また、該容器（Ｙ）の直径と仕上がりは、ほぼ同じなので輸送段ボール寸法もほとんど変わらず物流コストも問題なく、店頭に多段に陳列ができたので陳列台も省スペースとな
り合理的であった。
【００５５】
また、容器（Ｙ）本体では表現できなかった自由なデザイン、文章が表現できたのでより一層の表示ディスプレー効果の向上と消費者への情報提供が向上した。
【００５６】
すなわち、該紙製容器ホルダー（Ｃ）自体が立体的な形状であるので、広告宣伝の印刷表示がアピール効果を持ち、店頭での商品の認知度をより一層アップする効果も発揮した。
【００５７】
さらに、該紙製容器ホルダー（Ｃ）は、単純な形態であるので省資源パッケージであり、紙を使用することによって廃棄が容易になり環境にやさしいパッケージになった。
【図面の簡単な説明】
【００５８】
【図１】本発明に係る紙製容器ホルダーのブランクの１実施例を示す展開平面図である。
【図２】本発明に係る紙製容器ホルダーの１実施例を示す斜視図である。
【図３】本発明に係る紙製容器ホルダーの斜めの谷折り目線を内側に折り込む工程を説明する説明図である。
【図４】本発明に係る紙製容器ホルダーを折り畳んだ側面図である。
【図５】本発明に係る紙製容器ホルダーを蓋付き容器に係止した状態の１実施例を示す斜視図である。
【図６】既存の蓋付き容器の１実施例を示す斜視図である。
【符号の説明】
【００５９】
１・・・天面板
２・・・前後の側面板
３・・・左右の側面板
４・・・糊代フラップ
５・・・印刷スペース
６・・・係止用孔部
７・・・天窓部
ａ・・・斜めの谷折り目線
ｄ・・・厚さ
ｅ・・・縁部
Ｂ・・・ブランク
Ｃ・・・紙製容器ホルダー
Ｆ・・・蓋部
Ｈ・・・開口高さ
Ｌ・・・鍔
Ｍ・・・円孤状切欠
Ｙ・・・容器
【図１】
2005239210.tif 000003
【図２】
2005239210.tif 000004
【図３】
2005239210.tif 000005
【図４】
2005239210.tif 000006
【図５】
2005239210.tif 000007
【図６】
2005239210.tif 000008